(57)【要約】【課題】加熱容器を収容した引き出し体を加熱調理器本体から前方側へ引き出し可能にすることでユーザの利便性を向上する加熱調理器を提供する。【解決手段】加熱調理器１００ｄは、前面に開口部１１が設けられた本体１０と、開口部１１の蓋となる開閉扉３０と、本体１０内に収容される内鍋６０と、内鍋６０に設けた通信部と、通信部から送信された通信信号を受信する受信部と、を備え、受信部が通信部から送信された通信信号を受信すると、開閉扉３０が自動的に出し入れされるものである。【選択図】図７
2011106811.tif 000002
【特許請求の範囲】
【請求項１】
前面に開口部が設けられた本体と、
前記開口部の蓋となる開閉扉と、
前記本体内に収容される加熱容器と、
前記加熱容器に設けた通信部と、
前記通信部から送信された通信信号を受信する受信部と、を備え、
前記受信部が前記通信部から送信された通信信号を受信すると、前記開閉扉が自動的に出し入れされる
ことを特徴とする加熱調理器。
【請求項２】
前記開閉扉は、
前記加熱容器を収容し、前記本体内に出し入れ可能な引き出し体に設けられている
ことを特徴とする請求項１に記載の加熱調理器。
【請求項３】
各種入力操作を行なう操作部と、
各種情報を表示する表示部と、を備え、
前記操作部及び前記表示部の少なくともいずれか一方を前記開閉扉の上面に設けた
ことを特徴とする請求項１又は２に記載の加熱調理器。
【発明の詳細な説明】
【技術分野】
【０００１】
本発明は、開閉扉を備えた加熱調理器に関するものである。
【背景技術】
【０００２】
従来から、メニュー選択や温度設定、各所調理設定等の各種設定を入力するための操作部と、メニュー内容や温度、調理時間、調理工程等を表示するための表示部とを備えた加熱調理器が存在する。そのようなものとして「加熱室と、前記加熱室の開口部前面に設けた開閉扉と、メニュー選択や温度設定を入力するための操作部と、操作入力するのに必要な情報（調理メニュー内容や温度・時間設定内容など）が表記された調理メニュー表示部とを備え、前記調理メニュー表示部は前記開閉扉を構成する前面ドアスクリーンと電波シール用パンチング板との間に使用者の見やすいように傾斜を設けた高周波加熱調理器」が提案されている（たとえば、特許文献１参照）。
【０００３】
また、被調理物を載置する加熱容器を収容した引き出し体を加熱調理器本体から前方側へ引き出し可能に取り付けた加熱調理器が存在する。そのようなものとして、「筺状の調理器本体と、該調理器本体の一側面の一部をなす開閉扉を有しており、前記調理器本体に引き出し可能に取り付けられ、被調理物を収納する収納体とを備える加熱調理器において、前記開閉扉の上方に位置する前記調理器本体の前記一側面の一部又は全部が、前記調理器本体に対して嵌入可能な可動体として構成されている加熱調理器」が開示されている（たとえば、特許文献２参照）。
【先行技術文献】
【特許文献】
【０００４】
【特許文献１】特開２００５−３４５０９０号公報（第４頁、第２図）
【特許文献２】特開２００６−３００４９１号公報（第６頁、第１図）
【発明の概要】
【発明が解決しようとする課題】
【０００５】
特許文献１に記載の高周波加熱調理器は、ユーザの目線に合わせた位置に表示部を配置し、ユーザが表示部を見ながら、近傍に配置された操作部で各所操作を実行できるようになっている。しかしながら、このような高周波加熱調理器は、システムキッチンに対応させたものではなく、近年のユーザニーズに対応したものではなかった。また、システムキッチンに組み入れたとしても、デザイン性を重視しておらず、システムキッチン全体の外観における均衡が崩れてしまうという課題があった。
【０００６】
特許文献２に記載の加熱調理器は、比較的大型の構造に適しているので、デザイン性を重視するシステムキッチンに組み込まれて使用することができる。しかしながら、このような加熱調理器は、デザイン性に重視に偏ってしまい、ユーザの利便性に欠けるといった課題があった。したがって、加熱調理器には、ユーザの利便性を向上させるとともに、システムキッチンに組み込まれた際にもデザイン性を主張できる加熱調理器が望まれているのである。
【０００７】
本発明は、以上のような課題を解決するためになされたもので、開閉扉を自動的に開閉可能にすることでユーザの利便性を向上する加熱調理器を提供するものである。
【課題を解決するための手段】
【０００８】
本発明に係る加熱調理器は、前面に開口部が設けられた本体と、前記開口部の蓋となる開閉扉と、前記本体内に収容される加熱容器と、前記加熱容器に設けた通信部と、前記通信部から送信された通信信号を受信する受信部と、を備え、前記受信部が前記通信部から送信された通信信号を受信すると、前記開閉扉が自動的に開閉されることを特徴とする。
【発明の効果】
【０００９】
本発明に係る加熱調理器は、受信部が通信部から送信された通信信号を受信すると、開閉扉が自動的に開閉されるので、ユーザの利便性を向上できる。
【図面の簡単な説明】
【００１０】
【図１】実施の形態１に係る加熱調理器を示す斜視図である。
【図２】引き出し体を本体に収納した状態を示している。
【図３】実施の形態２に係る加熱調理器を示す斜視図である。
【図４】実施の形態３に係る加熱調理器を示す斜視図である。
【図５】実施の形態４に係る加熱調理器を説明するための説明図である。
【図６】実施の形態５に係る加熱調理器を示す斜視図である。
【図７】実施の形態６に係る加熱調理器を示す斜視図である。
【図８】実施の形態７に係る加熱調理器を示す斜視図である。
【図９】実施の形態８に係る加熱調理器を示す斜視図である。
【発明を実施するための形態】
【００１１】
以下、本発明の実施の形態を図面に基づいて説明する。
実施の形態１．
図１は、本発明の実施の形態１に係る加熱調理器１００を示す斜視図である。この図１では、引き出し体２０を本体１０から前方側へ引き出した状態を示している。図１に基づいて、加熱調理器１００の構成について説明する。この加熱調理器１００は、ビルトイン型（システムキッチン一体型）のキッチン組み込み型である場合を例に説明するものとする。また、この加熱調理器１００は、たとえばガスや電気で被加熱物を加熱調理するものである。なお、図１を含め、以下の図面では各構成部材の大きさの関係が実際のものとは異なる場合がある。
【００１２】
図１に示すように、加熱調理器１００は、本体１０と、この本体１０に引き出し可能に設けられている引き出し体２０とで構成されている。本体１０は、前面に設けられた開口部１１と、この開口部１１から入れられた食品等の被加熱物を加熱調理するための加熱室１２とが設けられている。引き出し体２０は、被加熱物の入った鍋や内釜等の加熱容器を収容する収容室２１が設けられており、スライドすることによって開口部１１から加熱室１２内に出し入れ可能に取り付けられている。
【００１３】
また、引き出し体２０には、引き出し体２０が本体１０内の加熱室１２に収納されたとき、開口部１１の蓋となる開閉扉３０が設けられている。そして、引き出し体２０が本体１０に収納された際、引き出し体２０の開閉扉３０が本体１０の前面の一部を構成するようになっている。開閉扉３０には、調理メニューの選択や温度の設定等の入力を行なう操作部３１と、調理メニューの内容や温度・時間の設定内容等の各種情報を表示する表示部３２と、引き出し体２０を出し入れするための取っ手３３とが設けられている。
【００１４】
操作部３１は、透明導電膜を用いた静電スイッチを備えた液晶ディスプレイや、押圧式の操作ボタン等で構成するとよい。また、表示部３２は、ＬＥＤ（ｌｉｇｈｔ−ｅｍｉｔｔｉｎｇ  ｄｉｏｄｅ：発光ダイオード）や、液晶ディスプレイ、蛍光管、エレクトロルミネセンス、プラズマディスプレイ等で構成するとよい。さらに、取っ手３３は、その形状を特に限定するものではないが、ユーザが掴みやすく、デザイン性を考慮した形状とするとよい。
【００１５】
ここで、実施の形態１の特徴事項である操作部３１と表示部３２の設置位置について説明する。この図１では、操作部３１が開閉扉３０の上面に設けられ、表示部３２が開閉扉３０の前面上側に設けられている場合を例に示している。このように、操作部３１と表示部３２との双方を分割した状態で開閉扉３０の上面及び前面上側に設けるようにしているので、それぞれの配置面積を大きく確保することができる。すなわち、操作部３１と表示部３２とを同じ位置に設置しなくて済み、デザイン性を向上することができる。なお、操作部３１を開閉扉３０の前面上側に、表示部３２を開閉扉３０の上面に設けるようにしてもよい（図３参照）。
【００１６】
図２は、引き出し体２０を本体１０に収納した状態を示している。図２に示すように、引き出し体２０を本体１０に収納した際には、開閉扉３０の上面に設けられている操作部３１が本体１０内に隠れることになる。したがって、操作部３１を構成する各種操作キーを探す手間を省略でき、加熱調理器１００の操作性が向上することになる。すなわち、操作キーの押し間違い等を未然に防止することができるのである。また、引き出し体２０を本体１０に収納した際には、表示部３２のみが加熱調理器１００の前面に位置することになり、外観をシンプルなデザインとすることができる。
【００１７】
また、引き出し体２０を本体１０内に収納させたときに、自動的に調理を開始できるようにしておくとよい。そうすれば、引き出し体２０が本体１０内に確実に収納されたことを調理開始の条件とすることができ、引き出し体２０が本体１０内に確実に収納されていない状態での調理動作を防止することができる。したがって、引き出し体２０が本体１０に完全に収納されていない状態での調理の失敗を防止できるとともに、ユーザの利便性を向上することができる。
【００１８】
さらに、引き出し体２０に、引き出し体２０の出し入れを実行するとともに、加熱動作を開始させる操作ボタンを設けておくとよい。この操作ボタンを操作するだけで、引き出し体２０を自動的に本体１０に収納し、加熱動作を開始することができる。つまり、引き出し体２０が本体１０に完全に収納されないということを防止できるのである。したがって、引き出し体２０が本体１０に完全に収納されていない状態での調理の失敗を防止できるとともに、ユーザの利便性を更に向上することができる。
【００１９】
実施の形態２．
図３は、本発明の実施の形態２に係る加熱調理器１００ａを示す斜視図である。この図３では、引き出し体２０を本体１０から前方側へ引き出した状態を示している。図３に基づいて、実施の形態２の特徴部分である操作部３１ａ及び表示部３２ａについて説明する。なお、実施の形態２では実施の形態１との相違点を中心に説明し、実施の形態１と同一部分には、同一符号を付して説明を省略するものとする。実施の形態２に係る加熱調理器１００ａは、操作部３１ａが開閉扉３０の前面上側に設けられ、表示部３２ａが開閉扉３０の上面に設けられている場合を例に示している。
【００２０】
このように、操作部３１ａ及び表示部３２ａを設置することによって、操作性を向上させている。つまり、操作部３１ａを開閉扉３０の前面上側に設置することによって、取っ手３３を掴んだままの状態で操作部３１ａを操作できるようになっているのである。また、操作部３１ａは、たとえば使用頻度の高い操作キー（主電源スイッチやスタートスイッチ等）を開閉扉３０に向かって左側に設置できるようになっている。こうすれば、取っ手３３を順手で掴むユーザの親指位置の近傍に使用頻度の高い操作キーを配置することができるので、更に操作性を向上させることが可能になる。
【００２１】
ここでは、使用頻度の高い操作キーを開閉扉３０に向かって左側に設置した場合を例に説明したが、開閉扉３０に向かって左側に設置する操作キーを使用頻度の高低に限定するものではない。たとえば、表示部３２ａを構成する各種操作キーの全部を開閉扉３０に向かって左側に設置してもよい。また、取っ手３３を逆手で掴むユーザの親指位置の近傍（開閉扉３０に向かって右側）に使用頻度の高い操作キーを配置してもよい。また、順手又は逆手に関わらず、操作性を向上させるためには、表示部３２ａを開閉扉３０に向かって左右両側に設置するようにしてもよい。
【００２２】
一方、引き出し体２０を引き出す際には、開閉扉３０の上面に設置された表示部３２ａで加熱調理器１００の状態等を視認できるようになっている。つまり、ユーザは、引き出し体２０を引き出しながら表示部３２ａを視認したり、表示部３２ａを視認しながら操作部３１ａを操作したりできるので、操作性を向上させるとともに、視認性も向上させることができるのである。図３では、表示部３２ａが開閉扉３０に向かって右側中央よりに設置されている場合を例に示している。なお、表示部３２ａは、開閉扉３０の上面全部を利用して構成してもよく、一部を利用して構成してもよい。
【００２３】
実施の形態３．
図４は、本発明の実施の形態３に係る加熱調理器１００ｂを示す斜視図である。この図４では、引き出し体２０を本体１０から前方側へ引き出した状態を示している。図４に基づいて、実施の形態３の特徴部分である操作部３１ｂ及び表示部３２ｂについて説明する。なお、実施の形態３では実施の形態１及び実施の形態２との相違点を中心に説明し、実施の形態１及び実施の形態２と同一部分には、同一符号を付して説明を省略するものとする。実施の形態３に係る加熱調理器１００ｂは、操作部３１ｂが開閉扉３０の上面に設けられ、表示部３２ｂのうち調理工程の進捗を表示する部分が開閉扉３０の前面上側に設けられている場合を例に示している。
【００２４】
つまり、表示部３２ｂのうち少なくとも調理工程の進捗を表示する部分のみを開閉扉３０の前面上側に設置し、それ以外の加熱調理器１００の状態等を表示する部分を開閉扉３０の上面に設置しているのである。したがって、開閉扉３０の前面には、表示部３２ｂのうち調理工程の進捗を表示する部分のみが配置されることになり、特に引き出し体２０を本体１０に収納した際には、非常にシンプルな構成とすることができ、外観のデザイン性が優れたものとなる。
【００２５】
一方、開閉扉３０の上面には、操作部３１ｂの他に、表示部３２ｂのうち調理工程の進捗を表示する部分以外の部分が設置されることになる。そこで、開閉扉３０の上面における操作部３１ｂ及び表示部３２ｂの設置位置を考慮して、操作性及び視認性の向上を図るようにするとよい。たとえば、図４に示すように、開閉扉３０の上面中央部近傍に表示部３２ｂを、開閉扉３０に向かって左右両側に操作部３１ｂをそれぞれ設置するようにするとよい。
【００２６】
なお、表示部３２ｂのうち調理工程の進捗を表示する部分が開閉扉３０の前面上側で、開閉扉３０に向かって左側に設けられている場合を例に示しているが、これに限定するものではない。たとえば、表示部３２ｂのうち調理工程の進捗を表示する部分が開閉扉３０の前面上側で、開閉扉３０に向かって右側に設けられていてもよく、開閉扉３０の前面上側の全体に設けられていてもよい。また、表示部３２ｂのうち調理工程の進捗を表示する部分を三角形状で図示している場合を例に示しているが、これに限定するものではない。たとえば、表示部３２ｂのうち調理工程の進捗を表示する部分を矢印形状や円形状、多角形状してもよい。
【００２７】
さらに、調理工程の進捗を光の色彩の変化や光の増減で表示するようにしてもよい。このようにすれば、表示部３２ｂに加熱室１２内の火力や調理時間等を示す数字や文字を表示しなくて済み、コストを削減できるとともに、開閉扉３０の前面のデザインを更にシンプルなものにすることができる。したがって、視認性を確保しつつ、外観のデザイン性が優れたものとなる。なお、調理工程の終了を、調理工程の進捗状況を報知するものとは異なる光の色彩の変化や光の増減で報知するとよい。
【００２８】
また、加熱調理器１００ｂに音声報知部を設ければ、調理工程の進捗をブザーやメッセージ等の音声で報知することができるとともに、調理工程の終了についても音声で報知することができる。こうすれば、表示部３２ｂと併せて調理工程の進捗をユーザに知らせることができるので、ユーザの利便性を更に向上させることができる。したがって、視力が低いユーザや、加熱調理器１００ｂから離れた位置にいるユーザに対しても調理工程の進捗を知らせることができる。
【００２９】
実施の形態４．
図５は、本発明の実施の形態４に係る加熱調理器１００ｃを説明するための説明図である。この図５では、本体１０がキッチン５０に組み込まれ、引き出し体２０を本体１０に収納した状態の断面を示している。また、図５（ａ）は引き出し体２０が本体１０に収納されたときの状態を、図５（ｂ）は加熱調理器１００の運転中における引き出し体２０の状態をそれぞれ示している。図５に基づいて、実施の形態４の特徴部分である引き出し体２０の動作について説明する。なお、実施の形態４では実施の形態１から実施の形態３との相違点を中心に説明し、実施の形態１〜実施の形態３と同一部分には、同一符号を付して説明を省略するものとする。
【００３０】
実施の形態４に係る加熱調理器１００ｃは、操作部３１ｃが開閉扉３０の前面上側に設けられ、表示部３２ｃが開閉扉３０の上面に設けられている場合を例に示している。実施の形態１〜実施の形態３で説明した開閉扉３０の上面に設置されている表示部３２〜表示部３２ａは、引き出し体２０が本体１０に収納されると本体１０内に隠れて視認することができなかった。そこで、この実施の形態４に係る加熱調理器１００ｃでは、加熱調理器１００の動作中において、引き出し体２０が表示部３２ｃの分（つまり、開閉扉３０の上面の幅分）だけ前方に突出するようにしている。
【００３１】
このようにすれば、加熱調理器１００ｃの動作中において、加熱調理器１００ｃの状態を表示する表示部３２ｃをユーザから視認できる位置に移動することができるのである。したがって、視認性を向上させることができる。なお、実施の形態４の特徴事項を、実施の形態１〜実施の形態３に適用すれば、視認性を向上させつつ、外観のデザイン性を優れたものにできる。また、引き出し体２０を、操作部３１ｃを介して調理開始の指示があったときに本体１０の前方に突出させるようにしてもよく、本体１０の奥側に収納されたときに調理開始の指示があったものと判断して本体１０の前方に突出させるようにしてもよい。
【００３２】
実施の形態５．
図６は、本発明の実施の形態５に係る加熱調理器１００ｄを示す斜視図である。この図６では、引き出し体２０を本体１０から前方側へ引き出した状態を示している。図６に基づいて、実施の形態５の特徴部分である引き出し体２０の出し入れについて説明する。なお、実施の形態５では実施の形態１〜実施の形態４との相違点を中心に説明し、実施の形態１〜実施の形態４と同一部分には、同一符号を付して説明を省略するものとする。実施の形態５に係る加熱調理器１００ｄは、引き出し体２０が自動的に出し入れされることを特徴としている。
【００３３】
加熱調理器１００ｄには、引き出し体２０を出し入れさせる図示省略の扉開閉機構と、この扉開閉機構を制御する図示省略の制御手段とが搭載されている。また、開閉扉３０の前面上側には、非接触で引き出し体２０を出し入れさせる静電スイッチ３５が設けられている。つまり、加熱調理器１００ｄは、静電スイッチ３５からの情報に基づいて、制御手段が扉開閉機構を制御し、引き出し体２０が出し入れされるようになっているのである。開閉扉３０に静電スイッチ３５を設けることによって、非接触で引き出し体２０の出し入れを行なうことができ、ユーザの作業性及び利便性が向上する。
【００３４】
たとえば、ユーザが鍋等の加熱容器を両手で引き出し体２０の収容室２１に載置しようとしているような場合において、加熱容器を両手で持ったままの状態であっても引き出し体２０を出し入れすることができ、引き出し体２０が本体１０の前方に引き出すことができるようになっている。なお、実施の形態５の特徴事項を、実施の形態１〜実施の形態４に適用すれば、作業性及び利便性を向上させつつ、視認性及びデザイン性を向上させることができる。また、静電スイッチ３５が開閉扉３０の前面上側、開閉扉３０に向かって右側に設置した場合を例に示したが、これに限定するものではない。
【００３５】
実施の形態６．
図７は、本発明の実施の形態６に係る加熱調理器１００ｅを示す斜視図である。この図７では、引き出し体２０を本体１０から前方側へ引き出した状態を示している。図７に基づいて、実施の形態６の特徴部分である引き出し体２０の出し入れについて説明する。なお、実施の形態６では実施の形態１〜実施の形態５との相違点を中心に説明し、実施の形態１〜実施の形態５と同一部分には、同一符号を付して説明を省略するものとする。実施の形態６に係る加熱調理器１００ｅは、実施の形態５に係る加熱調理器１００ｄと同様に、引き出し体２００が自動的で出し入れされることを特徴としている。
【００３６】
加熱調理器１００ｄには、引き出し体２０を出し入れさせる図示省略の扉開閉機構と、被接触送信部から送信された通信信号を受信する図示省略の受信部と、この受信部からの情報に基づいて扉開閉機構を制御する図示省略の制御手段とが搭載されている。つまり、実施の形態５では静電スイッチ３５を開閉扉３０に設けて引き出し体２０を自動的に出し入れする場合を例に説明したが、実施の形態６では被接触送信部と受信部との通信信号の送受によって引き出し体２０を自動的に出し入れする場合を例に説明する。
【００３７】
引き出し体２０の収容室２１に収容する加熱容器（たとえば内鍋６０）に図示省略のＲＦＩＤ（Ｒａｄｉｏ  Ｆｒｅｑｕｅｎｃｙ  ＩＤｅｎｔｉｆｉｃａｔｉｏｎ）等の非接触送信部を設置しておけば、この内鍋６０を加熱調理器１００ｅに近づける操作だけで引き出し体２０を自動的に出し入れすることができる。つまり、非接触通信部から送信される通信信号を加熱調理器１００ｄの受信部が受信し、その情報を受け取った制御手段が扉開閉機構を制御し、引き出し体２０が出し入れされるようになっているのである。加熱容器と加熱調理器１００ｅとの通信によって、非接触で引き出し体２０の出し入れを行なうことができ、ユーザの作業性及び利便性が向上する。
【００３８】
たとえば、ユーザが鍋等の加熱容器を両手で引き出し体２０の収容室２１に載置しようとしているような場合において、加熱容器を両手で持ったままの状態であっても、加熱容器が近づくだけで引き出し体２０を出し入れすることができ、引き出し体２０が本体１０の前方に引き出すことができるようになっている。なお、実施の形態６の特徴事項を、実施の形態１〜実施の形態４に適用すれば、作業性及び利便性を向上させつつ、視認性及びデザイン性を向上させることができる。また、非接触送信部を、加熱容器に予め設置してもよく、加熱容器に任意に設置してもよい。
【００３９】
実施の形態７．
図８は、本発明の実施の形態７に係る加熱調理器１００ｆを示す斜視図である。この図８では、引き出し体２０を本体１０から前方側へ引き出した状態を示している。図８に基づいて、実施の形態７の特徴部分であるメインスイッチ２５のオンの仕方について説明する。なお、実施の形態７では実施の形態１〜実施の形態６との相違点を中心に説明し、実施の形態１〜実施の形態６と同一部分には、同一符号を付して説明を省略するものとする。実施の形態７に係る加熱調理器１００ｆは、開閉扉３０の上面に、本体１０に主電源を投入するためのメインスイッチ２５が設けられている。
【００４０】
そして、加熱調理器１００ｆは、引き出し体２０が引き出されることによって、メインスイッチ２５がオンされるようになっている。加熱調理器１００ｆが調理を行なっていない場合には、主電源（メインスイッチ２５）がオフされていることが省エネルギーの観点から望ましい。そこで、引き出し体２０が本体１０から引き出された際に、メインスイッチ２５がオンされるようにしておくことで、調理開始の直前に主電源を投入することができ、省エネルギーを実現できる。また、メインスイッチ２５の操作が不要になり、ユーザの操作性が向上する。
【００４１】
なお、実施の形態７の特徴事項を、実施の形態１〜実施の形態６に適用すれば、更に作業性及び利便性を向上させつつ、視認性及びデザイン性を向上させることができる。また、メインスイッチ２５は、調理工程終了後から所定の時間経過後にオフしたり、ユーザが任意にオフしたりすることができるようになっている。さらに、メインスイッチ２５が、開閉扉３０の上面、開閉扉３０に向かって左側に設置した場合を例に示したが、これに限定するものではない。たとえば、開閉扉３０の上面であれば、いずれにメインスイッチ２５を設置してもよい。
【００４２】
実施の形態８．
図９は、本発明の実施の形態８に係る加熱調理器１００ｇを示す斜視図である。この図９では、引き出し体２０を本体１０から前方側へ引き出した状態を示している。図９に基づいて、実施の形態８の特徴部分である開閉扉３０ｇの上部について説明する。なお、実施の形態８では実施の形態１〜実施の形態７との相違点を中心に説明し、実施の形態１〜実施の形態７と同一部分には、同一符号を付して説明を省略するものとする。実施の形態８に係る加熱調理器１００ｇは、開閉扉３０ｇの上部が着脱可能になっている。
【００４３】
この加熱調理器１００ｇは、開閉扉３０ｇが上部扉３６と下部扉３７とに分離可能に構成されている。つまり、開閉扉３０のうち少なくとも操作部３１ｇが設けられている部分（上部扉３６）を分離可能に構成されているのである。この上部扉３６の上面には表示部３２ｇが設置され、前面には操作部３１ｇが設置されている。そして、操作部３１ｇ及び表示部３２ｇが設置されている上部扉３６を、下部扉３７と切り離して分離することができるようになっている。つまり、加熱調理器１００ｇを上部扉３６によって遠隔操作できるようになっているのである。
【００４４】
なお、実施の形態８の特徴事項を、実施の形態１〜実施の形態７に適用すれば、更に作業性及び利便性を向上させつつ、視認性及びデザイン性を向上させることができる。また、ここでは、上部扉３６の上面に表示部３２ｇが、前面に操作部３１ｇがそれぞれ設置されている場合を例に示したが、これに限定するものではない。たとえば、上部扉３６の前面に表示部３２ｇを、上面に操作部３１ｇをそれぞれ設置するようにしてもよい。さらに、上部扉３６を取り外した状態において、本体１０の開口部１１の上部扉３６に対応する部分の遮蔽壁等を設けるようにするとよい。
【００４５】
実施の形態１〜実施の形態８に係る加熱調理器を炊飯器に適用することが可能になっている。つまり、本体１０の収容室２１に米等の被加熱物を入れた内釜を収容し、加熱調理することで米を炊き上げる炊飯器として使用可能になっているのである。実施の形態１〜実施の形態８に係る加熱調理器を炊飯器として使用すれば、炊飯器をシステムキッチンの一部に組み込むことができ、キッチンスペースの有効利用を更に充実できるとともに、キッチン全体のデザイン性を向上させることができる。
【符号の説明】
【００４６】
１０  本体、１１  開口部、１２  加熱室、２０  引き出し体、２１  収容室、２５  メインスイッチ、３０  開閉扉、３１  操作部、３１ａ  操作部、３１ｂ  操作部、３１ｃ  操作部、３１ｇ  操作部、３２  表示部、３２ａ  表示部、３２ｂ  操作部、３２ｃ  表示部、３２ｇ  表示部、３３  取っ手、３５  静電スイッチ、３６  上部扉、３７  下部扉、５０  キッチン、６０  内鍋、１００  加熱調理器、１００ａ  加熱調理器、１００ｂ  加熱調理器、１００ｃ  加熱調理器、１００ｄ  加熱調理器、１００ｅ  加熱調理器、１００ｆ  加熱調理器、１００ｇ  加熱調理器。
【図１】
2011106811.tif 000003
【図２】
2011106811.tif 000004
【図３】
2011106811.tif 000005
【図４】
2011106811.tif 000006
【図５】
2011106811.tif 000007
【図６】
2011106811.tif 000008
【図７】
2011106811.tif 000009
【図８】
2011106811.tif 000010
【図９】
2011106811.tif 000011